(57)【要約】  本発明は、ＲＡ−ＲＮＴＩを決定するための方法および装置を開示する。本発明では、基地局は、端末によって送信されたランダムアクセスプリアンブルを受信するステップと、前記基地局は、前記ランダムアクセスプリアンブルによって占有される時間周波数リソースに基づき、ＲＡ−ＲＮＴＩを決定するステップと、前記基地局は、ランダムアクセス応答メッセージを送信するステップとを備え、前記時間周波数リソースは、直交周波数分割多重（ＯＦＤＭ）シンボルレベルの時間周波数リソースであり、前記ランダムアクセス応答メッセージは、前記端末は、前記基地局によって割り当てられたダウンリンク制御情報を含み、前記ダウンリンク制御情報は、前記ＲＡ−ＲＮＴＩを使用してスクランブルされる。本発明によれば、ＮＲシステムのランダムアクセスプロセスにおいて、ＲＡ−ＲＮＴＩを決定することができる。
2020533903.tif 000002
【特許請求の範囲】
【請求項１】
基地局は、端末によって送信されたランダムアクセスプリアンブルを受信するステップと、
前記基地局は、前記ランダムアクセスプリアンブルによって占有される時間周波数リソースに基づき、ランダムアクセス-無線ネットワーク一時識別子（ＲＡ−ＲＮＴＩ）を決定するステップと、
前記基地局は、ランダムアクセス応答メッセージを送信し、前記ランダムアクセス応答メッセージは、前記端末は、前記基地局によって割り当てられたダウンリンク制御情報を含み、前記ダウンリンク制御情報は、前記ＲＡ−ＲＮＴＩを使用してスクランブルされるステップとを備え、
前記時間周波数リソースは、直交周波数分割多重（ＯＦＤＭ）シンボルレベルの時間周波数リソースであることを特徴とするＲＡ−ＲＮＴＩを決定するための方法。
【請求項２】
前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、スロット内の前記ランダムアクセスプリアンブルによって占有される開始ＯＦＤＭシンボルのインデックス、および無線フレーム内のランダムアクセスプリアンブルによって占有されるスロットのインデックスを含み、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡＣＨはランダムアクセスプリアンブルの送信に使用されることを特徴とする請求項１に記載のＲＡ−ＲＮＴＩを決定するための方法。
【請求項３】
前記ＲＡ−ＲＮＴＩの計算式は次のとおりである：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスであり、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスであることを特徴とする請求項１または請求項２に記載のＲＡ−ＲＮＴＩを決定するための方法。
【請求項４】
端末は、基地局にランダムアクセスプリアンブルシーケンスを送信するステップと、
前記端末は、前記ランダムアクセスプリアンブルシーケンスによって占有された時間周波数リソースに基づき、ランダムアクセス-無線ネットワーク一時識別子（ＲＡ−ＲＮＴＩ）を決定するステップと、
前記端末は、前記基地局によって送信されたランダムアクセス応答メッセージを受信し、前記ＲＡ−ＲＮＴＩを使用して、前記ランダムアクセス応答メッセージに含まれるダウンリンク制御情報をデスクランブルするステップとを備え、
前記時間周波数リソースは、直交周波数分割多重（ＯＦＤＭ）シンボルレベルの時間周波数リソースであることを特徴とするＲＡ−ＲＮＴＩを決定するための方法。
【請求項５】
前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、スロット内の前記ランダムアクセスプリアンブルによって占有される開始ＯＦＤＭシンボルのインデックス、および無線フレーム内のランダムアクセスプリアンブルによって占有されるスロットのインデックスを含み、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡＣＨはランダムアクセスプリアンブルの送信に使用されることを特徴とする請求項４に記載のＲＡ−ＲＮＴＩを決定するための方法。
【請求項６】
前記ＲＡ−ＲＮＴＩの計算式は次のとおりである：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスであり、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスであることを特徴とする請求項４または請求項５に記載のＲＡ−ＲＮＴＩを決定するための方法。
【請求項７】
端末によって送信されたランダムアクセスプリアンブルを受信するように構成された受信モジュールと、
前記ランダムアクセスプリアンブルによって占有される時間周波数リソースに基づき、ランダムアクセス-無線ネットワーク一時識別子（ＲＡ−ＲＮＴＩ）を決定するように構成された決定モジュールと、
ランダムアクセス応答メッセージを送信するように構成された送信モジュールとを備え、
前記時間周波数リソースは、直交周波数分割多重（ＯＦＤＭ）シンボルレベルの時間周波数リソースであり、
前記ランダムアクセス応答メッセージは、前記端末は、基地局によって割り当てられたダウンリンク制御情報を含み、前記ダウンリンク制御情報は、前記ＲＡ−ＲＮＴＩを使用してスクランブルされることを特徴とする基地局。
【請求項８】
基地局にランダムアクセスプリアンブルシーケンスを送信するように構成された送信モジュールと、
前記ランダムアクセスプリアンブルシーケンスによって占有された時間周波数リソースに基づき、ランダムアクセス-無線ネットワーク一時識別子（ＲＡ−ＲＮＴＩ）を決定するように構成された決定モジュールと、
前記基地局によって送信されたランダムアクセス応答メッセージを受信し、前記ＲＡ−ＲＮＴＩを使用して、前記ランダムアクセス応答メッセージに含まれるダウンリンク制御情報をデスクランブルするように構成された受信モジュールとを備え、
前記時間周波数リソースは、ＯＦＤＭシンボルレベルの時間周波数リソースであることを特徴とする基地局。
【請求項９】
プロセッサと、メモリと、送受信機と、バスインターフェースとを備え、前記プロセッサは、メモリ内のプログラムを読み取り、次のプロセスを実行するように構成され、
前記送受信機を介して端末によって送信されたランダムアクセスプリアンブルを受信し、
前記ランダムアクセスプリアンブルによって占有される時間周波数リソースに基づき、ランダムアクセス-無線ネットワーク一時識別子（ＲＡ−ＲＮＴＩ）を決定し、前記時間周波数リソースは、直交周波数分割多重（ＯＦＤＭ）シンボルレベルの時間周波数リソースであり、
前記送受信機を介してランダムアクセス応答メッセージを送信し、前記ランダムアクセス応答メッセージは、前記端末は、前記基地局によって割り当てられたダウンリンク制御情報を含み、前記ダウンリンク制御情報は、前記ＲＡ−ＲＮＴＩを使用してスクランブルされることを特徴とする通信装置。
【請求項１０】
前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、スロット内の前記ランダムアクセスプリアンブルによって占有される開始ＯＦＤＭシンボルのインデックス、および無線フレーム内のランダムアクセスプリアンブルによって占有されるスロットのインデックスを含み、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡＣＨはランダムアクセスプリアンブルの送信に使用されることを特徴とする請求項９に記載の通信装置。
【請求項１１】
前記ＲＡ−ＲＮＴＩの計算式は次のとおりである：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスであり、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスであることを特徴とする請求項９または請求項１０に記載の通信装置。
【請求項１２】
プロセッサと、メモリと、送受信機と、バスインターフェースとを備え、前記プロセッサは、メモリ内のプログラムを読み取り、次の動作を実行するように構成され、
前記送受信機を介して基地局にランダムアクセスプリアンブルシーケンスを送信し、
前記ランダムアクセスプリアンブルシーケンスによって占有された時間周波数リソースに基づき、ランダムアクセス-無線ネットワーク一時識別子（ＲＡ−ＲＮＴＩ）を決定し、前記時間周波数リソースは、直交周波数分割多重（ＯＦＤＭ）シンボルレベルの時間周波数リソースであり、
前記送受信機を介して前記基地局によって送信されたランダムアクセス応答メッセージを受信し、前記ＲＡ−ＲＮＴＩを使用して、前記ランダムアクセス応答メッセージに含まれるダウンリンク制御情報をデスクランブルすることを特徴とする通信装置。
【請求項１３】
前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、スロット内の前記ランダムアクセスプリアンブルによって占有される開始ＯＦＤＭシンボルのインデックス、および無線フレーム内のランダムアクセスプリアンブルによって占有されるスロットのインデックスを含み、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡＣＨはランダムアクセスプリアンブルの送信に使用されることを特徴とする請求項１２に記載の通信装置。
【請求項１４】
前記ＲＡ−ＲＮＴＩの計算式は次のとおりである：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスであり、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスであることを特徴とする請求項１２または請求項１３に記載の通信装置。
【請求項１５】
請求項１から請求項３のいずれか一項に記載の方法をコンピュータに実行させるように構成されたコンピュータ実行可能命令を記憶することを特徴とするコンピュータ記憶媒体。
【請求項１６】
請求項４から請求項６のいずれか一項に記載の方法をコンピュータに実行させるように構成されたコンピュータ実行可能命令を記憶することを特徴とするコンピュータ記憶媒体。
【発明の詳細な説明】
【技術分野】
【０００１】
関連出願の相互参照
本出願は、２０１７年９月１１日に中国特許局に提出し、出願番号が２０１７１０８１２７５４．０であり、発明名称が「ＲＡ−ＲＮＴＩを決定するための方法および装置」との中国特許出願を基礎とする優先権を主張し、その開示の総てをここに取り込む。
【０００２】
本発明は、無線通信技術分野に関し、特に、ランダムアクセスプロセスにおいてランダムアクセス無線ネットワーク一時識別子（Ｒａｎｄｏｍ Ａｃｃｅｓｓ− Ｒａｄｉｏ Ｎｅｔｗｏｒｋ Ｔｅｍｐｏｒａｒｙ Ｉｄｅｎｔｉｆｉｅｒ，ＲＡ−ＲＮＴＩ）を決定するための方法および装置に関する。
【背景技術】
【０００３】
ランダムアクセスプロセスは、ランダムアクセスプリアンブルを送信する端末から、無線ネットワークへのアクセスを試みるプロセスから、ネットワークとの基本的なシグナリング接続を確立するプロセスを指す。ランダムアクセスプロセスでは、ランダムアクセスプリアンブルを送信した後、端末は、物理ダウンリンク制御チャネル（ｐｈｙｓｉｃａｌ ｄｏｗｎｌｉｎｋ ｃｏｎｔｒｏｌ ｃｈａｎｎｅｌ，ＰＤＣＣＨ）を介して基地局によってススケジューリングされたランダムアクセス応答（ｒａｎｄｏｍ ａｃｃｅｓｓ ｒｅｓｐｏｎｓｅ，ＲＡＲ、Ｍｓｇ２とも呼ばれる）メッセージを監視する。基地局は、ＲＡＲメッセージ内のダウンリンク制御情報（ｄｏｗｎｌｉｎｋ ｃｏｎｔｒｏｌ ｉｎｆｏｒｍａｔｉｏｎ，ＤＣＩ）を介して、端末に割り当てられたアップリンクリソースを端末に送信する。当該ＤＣＩの巡回冗長検査（ｃｙｃｌｉｃ ｒｅｄｕｎｄａｎｃｙ ｃｈｅｃｋ，ＣＲＣ）は、ＲＡ−ＲＮＴＩによってスクランブルされる。端末はＲＡ−ＲＮＴＩを使用して受信したＤＣＩをデスクランブルし、基地局によって割り当てられたアップリンクリソースを取得する。
【０００４】
４Ｇシステムのロングタームエボリューション（ｌｏｎｇ ｔｅｒｍ ｅｖｏｌｕｔｉｏｎ，ＬＴＥ）では、ＲＡ−ＲＮＴＩは時間と周波数に関連する関数である。非ＢＬ/ＣＥ（ｂａｎｄｗｉｄｔｈ−ｒｅｄｕｃｅｄ ｌｏｗ−ｃｏｍｐｌｅｘｉｔｙ/ｃｏｖｅｒａｇｅ−ｅｎｈａｎｃｅｍｅｎｔ，帯域幅削減低複雑度/カバレッジ拡張）端末の場合、ＲＡ−ＲＮＴＩは次の式で与えられる。
【０００５】
ＲＡ−ＲＮＴＩ = １ + t_id + １０*ｆ＿ｉｄ……………………………………[１]
ここで、t_idは時間領域の物理ランダムアクセスチャネル（ｐｈｙｓｉｃａｌ ｒａｎｄｏｍ ａｃｃｅｓｓ ｃｈａｎｎｅｌ，ＰＲＡＣＨ）の最初のサブフレームのインデックスであり、ｆ＿ｉｄはＰＲＡＣＨが占有する周波数領域の帯域幅のインデックスである。
【０００６】
５Ｇの新しい無線通信（ＮＲ）システムには、２種類のランダムアクセスプリアンブルフォーマットがある：ロングシーケンス（Ｌ ＝ ８３９）およびショートシーケンス（Ｌ ＝ １３９または１２７）であり、ショートシーケンスのプリアンブルフォーマットは表１に示すとおりである。
【０００７】
【表１】
2020533903.tif 000003
【０００８】
表１において、サブキャリア間隔=１５ KHzの場合、Ts=１/３０７２０ msである。ＳＣＳ=３０ KHzの場合、Ts =１/(２*３０７２０) msである。ＳＣＳ=６０ KHzの場合、Ts =１/(４*３０７２０) msである。ＳＣＳ=１２０ KHzの場合、Ts =１/(８*３０７２０) msである。
【０００９】
ＮＲシステムでは、ショートシーケンスのプリアンブルフォーマットについて、スロット（ｓｌｏｔ）は複数のＰＲＡＣＨプリアンブルシーケンスを含むことができ、１０ｍｓ無線フレームに含まれるスロットの数は異なるサブキャリア間隔に対して変化するため、既存のＬＴＥの式を使用してＲＡ−ＲＮＴＩを計算することは不可能である。
【発明の概要】
【発明が解決しようとする課題】
【００１０】
したがって、ＮＲシステムのランダムアクセスプロセスのためにＲＡ−ＲＮＴＩを計算する方法を定義することが急務である。
【００１１】
本発明の実施形態は、ＲＡ−ＲＮＴＩを決定するための方法および装置を提供する。
【課題を解決するための手段】
【００１２】
第１の態様では、ＲＡ−ＲＮＴＩを決定するための方法が提供され、当該方法は、
基地局は、端末によって送信されたランダムアクセスプリアンブルを受信するステップと、
前記基地局は、前記ランダムアクセスプリアンブルによって占有される時間周波数リソースに基づき、ＲＡ−ＲＮＴＩを決定するステップと、
前記基地局は、ランダムアクセス応答メッセージを送信するステップとを備え、
前記時間周波数リソースは、ＯＦＤＭシンボルレベルの時間周波数リソースであり、
前記ランダムアクセス応答メッセージは、前記端末は、前記基地局によって割り当てられたダウンリンク制御情報を含み、前記ダウンリンク制御情報は、前記ＲＡ−ＲＮＴＩを使用してスクランブルされる。
【００１３】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定され、前記時間領域リソースに関連するパラメータは、スロット内の前記ランダムアクセスプリアンブルによって占有される開始ＯＦＤＭシンボルのインデックス、および無線フレーム内のランダムアクセスプリアンブルによって占有されるスロットのインデックスを含み、前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【００１４】
任意選択で、前記ＲＡ−ＲＮＴの計算式は次のとおりである：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスであり、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【００１５】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定され、前記時間領域リソースに関連するパラメータは、前記ランダムアクセスプリアンブルによって占有されるスロット内のランダムアクセスプリアンブルシーケンスのインデックスと、前記ランダムアクセスプリアンブルのシーケンスに含まれるＯＦＤＭシンボルの数と、前記無線フレーム内のランダムアクセスプリアンブルによって占有されるスロットのインデックスとを含み、スロット内の前記ランダムアクセスプリアンブルによって占有される開始ＯＦＤＭシンボルのインデックスは、前記ランダムアクセスプリアンブルによって占有されるスロットに対応し、前記ランダムアクセスプリアンブルのシーケンスに含まれるＯＦＤＭシンボルの数は、当該ランダムアクセスプリアンブルのシーケンスのフォーマットに対応し、前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【００１６】
任意選択で、前記ＲＡ−ＲＮＴの計算式は次のとおりである：
ＲＡ−ＲＮＴＩ = １ + ｓｅｑｕｅｎｃｅ＿ｉｄ＿ｐｅｒ＿ｓｌｏｔ * Ｎ＿ＯＳ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｅｑｕｅｎｃｅ＿ｉｄ＿ｐｅｒ＿ｓｌｏｔは、ランダムアクセスプリアンブルによって占有されるスロット内の、ランダムアクセスプリアンブルのシーケンスのインデックスであり、ここで、スロットとランダムアクセスプリアンブルのインデックスとの間の対応関係は、事前に設定されるか、事前に合意された関係であり、
Ｎ＿ＯＳは、１つのランダムアクセスプリアンブルのシーケンスに含まれるＯＦＤＭシンボルの数であり、前記Ｎ＿ＯＳは、事前に設定されるか、事前に合意され、異なるランダムアクセスプリアンブルのシーケンスは異なるＮ＿ＯＳに対応し、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【００１７】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定され、前記時間領域リソースに関連するパラメータは、前記ランダムアクセスプリアンブルによって占有されるスロット内のランダムアクセスプリアンブルシーケンスのインデックスと、前記ランダムアクセスプリアンブルによって占有されるスロット内のランダムアクセスプリアンブルシーケンスの総数と、前記無線フレーム内のランダムアクセスプリアンブルによって占有されるスロットのインデックスとを含み、スロット内の前記ランダムアクセスプリアンブルによって占有される開始ＯＦＤＭシンボルのインデックスは、前記ランダムアクセスプリアンブルによって占有されるスロットに対応し、前記ランダムアクセスプリアンブルによって占有されるスロット内のランダムアクセスプリアンブルシーケンスの総数は、スロットインデックスに対応し、前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【００１８】
任意選択で、前記ＲＡ−ＲＮＴの計算式は次のとおりである：
ＲＡ−ＲＮＴＩ = １ + ｓｅｑｕｅｎｃｅ＿ｉｄ＿ｐｅｒ＿ｓｌｏｔ + ｓｌｏｔ＿ｉｄ * Ｎ＿ｓｅｑｕｅｎｃｅ＿ｐｅｒ＿ｓｌｏｔ ＋ １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｅｑｕｅｎｃｅ＿ｉｄ＿ｐｅｒ＿ｓｌｏｔは、ランダムアクセスプリアンブルによって占有されるスロット内の、ランダムアクセスプリアンブルのシーケンスのインデックスであり、ここで、スロットとランダムアクセスプリアンブルのインデックスとの間の対応関係は、事前に設定されるか、事前に合意された関係であり、
Ｎ＿ｓｅｑｕｅｎｃｅ＿ｐｅｒ＿ｓｌｏｔは、ランダムアクセスプリアンブルによって占有されるスロット内のランダムアクセスプリアンブルシーケンスの総数であり、ここで、Ｎ＿ｓｅｑｕｅｎｃｅ＿ｐｅｒ＿ｓｌｏｔは、スロットに対応し、１つのスロット内のランダムアクセスプリアンブルシーケンスの総数は、事前に設定されるか、事前に合意され、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【００１９】
第２の態様では、ＲＡ−ＲＮＴＩを決定するための方法が提供され、当該方法は、
端末は、基地局にランダムアクセスプリアンブルシーケンスを送信するステップと、
前記端末は、前記ランダムアクセスプリアンブルシーケンスによって占有された時間周波数リソースに基づき、ランダムアクセス-無線ネットワーク一時識別子（ＲＡ−ＲＮＴＩ）を決定するステップと、
前記端末は、前記基地局によって送信されたランダムアクセス応答メッセージを受信し、前記ＲＡ−ＲＮＴＩを使用して、前記ランダムアクセス応答メッセージに含まれるダウンリンク制御情報をデスクランブルするステップとを備え、
前記時間周波数リソースは、ＯＦＤＭシンボルレベルの時間周波数リソースである。
【００２０】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定され、前記時間領域リソースに関連するパラメータは、スロット内の前記ランダムアクセスプリアンブルによって占有される開始ＯＦＤＭシンボルのインデックス、および無線フレーム内のランダムアクセスプリアンブルによって占有されるスロットのインデックスを含み、前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【００２１】
任意選択で、前記ＲＡ−ＲＮＴの計算式は次のとおりである：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスであり、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【００２２】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、前記ランダムアクセスプリアンブルによって占有されるスロット内のランダムアクセスプリアンブルシーケンスのインデックスと、前記ランダムアクセスプリアンブルのシーケンスに含まれるＯＦＤＭシンボルの数と、前記無線フレーム内のランダムアクセスプリアンブルによって占有されるスロットのインデックスとを含み、スロット内の前記ランダムアクセスプリアンブルによって占有される開始ＯＦＤＭシンボルのインデックスは、前記ランダムアクセスプリアンブルによって占有されるスロットに対応し、前記ランダムアクセスプリアンブルのシーケンスに含まれるＯＦＤＭシンボルの数は、当該ランダムアクセスプリアンブルのシーケンスのフォーマットに対応し、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【００２３】
任意選択で、前記ＲＡ−ＲＮＴの計算式は次のとおりである：
ＲＡ−ＲＮＴＩ = １ + ｓｅｑｕｅｎｃｅ＿ｉｄ＿ｐｅｒ＿ｓｌｏｔ * Ｎ＿ＯＳ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｅｑｕｅｎｃｅ＿ｉｄ＿ｐｅｒ＿ｓｌｏｔは、ランダムアクセスプリアンブルによって占有されるスロット内の、ランダムアクセスプリアンブルのシーケンスのインデックスであり、ここで、スロットとランダムアクセスプリアンブルのインデックスとの間の対応関係は、事前に設定されるか、事前に合意された関係であり、
Ｎ＿ＯＳは、１つのランダムアクセスプリアンブルのシーケンスに含まれるＯＦＤＭシンボルの数であり、前記Ｎ＿ＯＳは、事前に設定されるか、事前に合意され、異なるランダムアクセスプリアンブルのシーケンスは異なるＮ＿ＯＳに対応し、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【００２４】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定され、前記時間領域リソースに関連するパラメータは、前記ランダムアクセスプリアンブルによって占有されるスロット内のランダムアクセスプリアンブルシーケンスのインデックスと、前記ランダムアクセスプリアンブルによって占有されるスロット内のランダムアクセスプリアンブルシーケンスの総数と、前記無線フレーム内のランダムアクセスプリアンブルによって占有されるスロットのインデックスとを含み、スロット内の前記ランダムアクセスプリアンブルによって占有される開始ＯＦＤＭシンボルのインデックスは、前記ランダムアクセスプリアンブルによって占有されるスロットに対応し、前記ランダムアクセスプリアンブルによって占有されるスロット内のランダムアクセスプリアンブルシーケンスの総数は、スロットインデックスに対応し、前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【００２５】
任意選択で、前記ＲＡ−ＲＮＴの計算式は次のとおりである：
ＲＡ−ＲＮＴＩ = １ + ｓｅｑｕｅｎｃｅ＿ｉｄ＿ｐｅｒ＿ｓｌｏｔ + ｓｌｏｔ＿ｉｄ * Ｎ＿ｓｅｑｕｅｎｃｅ＿ｐｅｒ＿ｓｌｏｔ ＋ １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｅｑｕｅｎｃｅ＿ｉｄ＿ｐｅｒ＿ｓｌｏｔは、ランダムアクセスプリアンブルによって占有されるスロット内の、ランダムアクセスプリアンブルのシーケンスのインデックスであり、ここで、スロットとランダムアクセスプリアンブルのインデックスとの間の対応関係は、事前に設定されるか、事前に合意された関係であり、
Ｎ＿ｓｅｑｕｅｎｃｅ＿ｐｅｒ＿ｓｌｏｔは、ランダムアクセスプリアンブルによって占有されるスロット内のランダムアクセスプリアンブルシーケンスの総数であり、ここで、Ｎ＿ｓｅｑｕｅｎｃｅ＿ｐｅｒ＿ｓｌｏｔは、スロットに対応し、１スロット内のランダムアクセスプリアンブルシーケンスの総数は、事前に設定されるか、事前に合意され、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【００２６】
第３の態様では、基地局が提供され、前記基地局は、
端末によって送信されたランダムアクセスプリアンブルを受信するように構成された受信モジュールと、
前記ランダムアクセスプリアンブルによって占有される時間周波数リソースに基づき、ランダムアクセス-無線ネットワーク一時識別子（ＲＡ−ＲＮＴＩ）を決定するように構成された決定モジュールと、
ランダムアクセス応答メッセージを送信するように構成された送信モジュールとを備え、
前記時間周波数リソースは、直交周波数分割多重（ＯＦＤＭ）シンボルレベルの時間周波数リソースであり、
前記ランダムアクセス応答メッセージは、前記端末は、前記基地局によって割り当てられたダウンリンク制御情報を含み、前記ダウンリンク制御情報は、前記ＲＡ−ＲＮＴＩを使用してスクランブルされる。
【００２７】
第４の態様では、端末が提供され、前記端末は、
基地局にランダムアクセスプリアンブルシーケンスを送信するように構成された送信モジュールと、
前記ランダムアクセスプリアンブルシーケンスによって占有された時間周波数リソースに基づき、ランダムアクセス-無線ネットワーク一時識別子（ＲＡ−ＲＮＴＩ）を決定するように構成された決定モジュールと、
前記基地局によって送信されたランダムアクセス応答メッセージを受信し、前記ＲＡ−ＲＮＴＩを使用して、前記ランダムアクセス応答メッセージに含まれるダウンリンク制御情報をデスクランブルするように構成された受信モジュールとを備え、
前記時間周波数リソースは、ＯＦＤＭシンボルレベルの時間周波数リソースである。
【００２８】
第５の態様では、通信装置が提供され、前記通信装置は、プロセッサと、メモリと、送受信機と、バスインターフェースとを備え、前記プロセッサは、メモリ内のプログラムを読み取り、次のプロセスを実行するように構成され、
前記送受信機を介して端末によって送信されたランダムアクセスプリアンブルを受信し、
前記ランダムアクセスプリアンブルによって占有される時間周波数リソースに基づき、ランダムアクセス-無線ネットワーク一時識別子（ＲＡ−ＲＮＴＩ）を決定し、前記時間周波数リソースは、直交周波数分割多重（ＯＦＤＭ）シンボルレベルの時間周波数リソースであり、
前記送受信機を介してランダムアクセス応答メッセージを送信し、前記ランダムアクセス応答メッセージは、前記端末は、前記基地局によって割り当てられたダウンリンク制御情報を含み、前記ダウンリンク制御情報は、前記ＲＡ−ＲＮＴＩを使用してスクランブルされる。
【００２９】
第６の態様では、通信装置が提供され、前記通信装置は、プロセッサと、メモリと、送受信機と、バスインターフェースとを備え、前記プロセッサは、メモリ内のプログラムを読み取り、次のプロセスを実行するように構成され、
前記送受信機を介して基地局にランダムアクセスプリアンブルシーケンスを送信し、
前記ランダムアクセスプリアンブルシーケンスによって占有された時間周波数リソースに基づき、ランダムアクセス-無線ネットワーク一時識別子（ＲＡ−ＲＮＴＩ）を決定し、前記時間周波数リソースは、直交周波数分割多重（ＯＦＤＭ）シンボルレベルの時間周波数リソースであり、
前記送受信機を介して前記基地局によって送信されたランダムアクセス応答メッセージを受信し、前記ＲＡ−ＲＮＴＩを使用して、前記ランダムアクセス応答メッセージに含まれるダウンリンク制御情報をデスクランブルする。
【００３０】
第７の態様では、第１の態様にかかるいずれかの方法をコンピュータに実行させるように構成されたコンピュータ実行可能命令を記憶するコンピュータ記憶媒体を提供する。
【００３１】
第８の態様では、第２の態様にかかるいずれかの方法をコンピュータに実行させるように構成されたコンピュータ実行可能命令を記憶するコンピュータ記憶媒体を提供する。
【発明の効果】
【００３２】
本発明の上記実施形態において、ＲＡ−ＲＮＴＩは、ランダムアクセスプリアンブルによって占有される時間周波数リソースに従って決定されてもよく、前記時間周波数リソースは、ＯＦＤＭシンボルレベルの時間周波数リソースである。ＲＡ−ＲＮＴＩはランダムアクセスプリアンブルが占有するＯＦＤＭシンボルレベルの時間周波数リソースに基づいて計算されるため、ＮＲシステムの場合、ショートシーケンスのプリアンブルフォーマットおよびサブキャリア間隔の多様な状況に応じて、ランダムアクセスプリアンブルの時間間隔がＯＦＤＭシンボルレベルに従うことが可能となり、ＮＲシステムのランダムアクセスプロセスでＲＡ−ＲＮＴＩの決定を実現する。
【図面の簡単な説明】
【００３３】
【図１】本発明の実施形態に適用可能なネットワークアーキテクチャの概略図である。
【図２】本発明の実施形態によって提供されるランダムアクセスプロセスの概略図である。
【図３】本発明の実施形態によって提供される基地局の構造概略図である。
【図４】本発明の実施形によって提供される端末の構造概略図である。
【図５】本発明の実施形によって提供される通信装置の構造概略図である。
【図６】本発明の他の実施形によって提供される通信装置の構造概略図である。
【発明を実施するための形態】
【００３４】
以下では、当業者の理解を容易にするために、本発明の実施形態におけるいくつかの用語を説明する。
【００３５】
（１）本発明の実施形態では、名詞「ネットワーク」および「システム」がしばしば交互に使用されるが、当業者はその意味を理解することができる。
【００３６】
（２）本発明の実施形態における「複数」という用語は、２つ以上を指し、他の数量詞はそれに類似している。
【００３７】
（３）「および／または」は、関連オブジェクトの関連関係を記述し、例えばＡおよび／またはＢが表すことができる３つの関係があることを示す：Ａのみ、ＡとＢの両方、Ｂのみ。符号「/」は、一般に、関連するオブジェクトに一種の「または」関係があることを示す。
【００３８】
本発明の実施形態における技術的解決策は、本発明の実施形態における図面と組み合わせて以下に明確かつ完全に説明される。
【００３９】
図１は、本出願の一実施形態によって提供される可能な通信シナリオの概略図を例示的に示している。図１に示すように、端末１１０は、無線アクセスネットワーク（ｒａｄｉｏ ａｃｃｅｓｓ ｎｅｔｗｏｒｋ，ＲＡＮ）ノード１２０を介して無線ネットワークにアクセスし、無線ネットワークを介して外部ネットワーク（インターネットなど）のサービスを取得するか、無線ネットワークを介して他の端末と通信する。
【００４０】
ここで、端末は、ユーザ機器（ｕｓｅｒ ｅｑｕｉｐｍｅｎｔ，ＵＥ）、モバイルステーション（ｍｏｂｉｌｅ ｔｅｒｍｉｎａｌ，ＭＳ）、モバイル端末（ｍｏｂｉｌｅ ｔｅｒｍｉｎａｌ，ＭＴ）などとも呼ばれ、音声および／またはデータ接続をユーザに提供するためのデバイスである。現在、端末の一部の例は、携帯電話、タブレット、ラップトップ、パームトップコンピューター、モバイルインターネットデバイス（ｍｏｂｉｌｅ ｉｎｔｅｒｎｅｔ ｄｅｖｉｃｅ，ＭＩＤ）、ウェアラブルデバイス、仮想現実（ｖｉｒｔｕａｌ ｒｅａｌｉｔｙ，ＶＲ）デバイス、拡張現実（ａｕｇｍｅｎｔｅｄ ｒｅａｌｉｔｙ，ＡＲ）機器、産業用制御（ｉｎｄｕｓｔｒｉａｌ ｃｏｎｔｒｏｌ）の無線端末、自動運転（ｓｅｌｆ ｄｒｉｖｉｎｇ）の無線端末、遠隔医療手術（ｒｅｍｏｔｅ ｍｅｄｉｃａｌ ｓｕｒｇｅｒｙ）の無線端末、スマートグリッド（ｓｍａｒｔ ｇｒｉｄ）の無線端末、交通安全（ｔｒａｎｓｐｏｒｔａｔｉｏｎ ｓａｆｅｔｙ）の無線端末、スマートシティ（ｓｍａｒｔ ｃｉｔｙ）の無線端末、スマートホーム（ｓｍａｒｔ ｈｏｍｅ）の無線端末などがある。
【００４１】
ＲＡＮは、端末を無線ネットワークに接続するネットワーク内の一部である。ＲＡＮノード（またはデバイス）は、無線アクセスネットワーク内のノード（またはデバイス）であり、基地局とも呼ばれ得る。現在、ＲＡＮノードの例には、ｇＮＢ、送受信ポイント（ｔｒａｎｓｍｉｓｓｉｏｎ ｒｅｃｅｐｔｉｏｎ ｐｏｉｎｔ，ＴＲＰ）、進化型ノードＢ（ｅｖｏｌｖｅｄ Ｎｏｄｅ Ｂ，ｅＮＢ）、無線ネットワークコントローラー（ｒａｄｉｏ ｎｅｔｗｏｒｋ ｃｏｎｔｒｏｌｌｅｒ，ＲＮＣ）、ノードＢ（Ｎｏｄｅ Ｂ，ＮＢ）、基地局コントローラー（ｂａｓｅ ｓｔａｔｉｏｎ ｃｏｎｔｒｏｌｌｅｒ，ＢＳＣ）、基地送受信局（ｂａｓｅ ｔｒａｎｓｃｅｉｖｅｒ ｓｔａｔｉｏｎ, ＢＴＳ）、ホーム基地局（たとえば、ｈｏｍｅ ｅｖｏｌｖｅｄ ＮｏｄｅＢ，またはｈｏｍｅ Ｎｏｄｅ Ｂ，ＨＮＢ）、ベースバンドユニット（ｂａｓｅ ｂａｎｄ ｕｎｉｔ，ＢＢＵ）、またはワイヤレスフィデリティ（ｗｉｒｅｌｅｓｓ ｆｉｄｅｌｉｔｙ，Ｗｉｆｉ）アクセスポイント（ａｃｃｅｓｓ ｐｏｉｎｔ，ＡＰ）がある。さらに、ネットワーク構造では、ＲＡＮには集中ユニット（ｃｅｎｔｒａｌｉｚｅｄ ｕｎｉｔ，ＣＵ）ノードと分散ユニット（ｄｉｓｔｒｉｂｕｔｅｄ ｕｎｉｔ，ＤＵ）ノードが含まれる場合がある。この構造は、ＬＴＥ（ｌｏｎｇ Ｔｅｒｍ Ｅｖｏｌｕｔｉｏｎ）システムのｅＮＢのプロトコル層を分割する。ＬＴＥシステムでは、プロトコル層の一部の機能がＣＵで集中的に制御され、プロトコル層の残りの機能または機能の一部がＣＵによりDUを集中管理される。
【００４２】
本発明の実施形態で説明されるネットワークアーキテクチャは、本発明の実施形態の技術的解決策をより明確に例示する目的のためであるが、本発明の実施形態で提供される技術的解決策に対する制限を構成しない。ネットワークアーキテクチャの進化に伴い、当業者に知られているように、本出願の実施形態で提供される技術的解決策は、同様の技術的問題にも適用可能である。
【００４３】
ＮＲシステムの場合、ショートシーケンスのプリアンブルフォーマットの存在およびサブキャリア間隔の多くのケースの存在のために、ランダムアクセスプリアンブルの時間間隔は直交周波数分割多重化（ＯＦＤＭ）シンボルレベルに基づいている。したがって、ＲＡ−ＲＮＴＩは、ランダムアクセスプリアンブルによって占有されるサブフレームレベルの時間周波数リソースに基づいて計算できない。この問題を解決するために、本出願の実施形態では、ランダムアクセスプリアンブルによって占有されるＯＦＤＭシンボルレベルの時間周波数リソースに従ってＲＡ−ＲＮＴＩが計算される。
【００４４】
さらに、ＮＲシステムにおけるＰＲＡＣＨの周波数領域リソースオーバーヘッドを低減するために、ＲＡ−ＲＮＴＩに関連する時間領域および周波数領域リソースが構成されるとき、時間領域リソースを優先的に構成し、次に周波数領域リソースを構成する。つまり、特定の周波数領域リソースのすべての時間領域リソースが構成されている場合にのみ、次に利用可能な周波数領域リソースの時間領域リソースが構成される。
【００４５】
本発明の実施形態は、ＮＲシステムにおけるショートシーケンスランダムアクセスプリアンブルに対応するＲＡ−ＲＮＴＩの計算に適用可能であり得、もちろん、ロングシーケンスランダムアクセスプリアンブルに対応するＲＡ−ＲＮＴＩの計算にも適用可能であり得る。
【００４６】
本出願の実施形態は、ＲＡ−ＲＮＴＩを計算するための以下の３つの方法を提供する：
第１の方法
第１の方法では、ＲＡ−ＲＮＴＩを計算するために使用される時間領域リソースに関連するパラメータは、そのスロット内のランダムアクセスプリアンブルによって占有される開始シンボルのインデックス、および無線フレーム内のランダムアクセスプリアンブルによって占有されるスロットのインデックスを含む。そして、ＲＡ−ＲＮＴＩを計算するために使用される周波数領域リソースに関連するパラメータは、係数に基づいて補正されたＰＲＡＣＨによって占有される周波数領域帯域幅のインデックスを含むことができ、当該係数はサブフレーム内のスロットの数およびスロット内のシンボルの数に従って決定される。
【００４７】
以下の式（２）は、第１の方法に基づいてＲＡ−ＲＮＴＩを計算する方法を例示的に示す。
【００４８】
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ………[２]
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスである。１つのスロットには最大１４個のＯＦＤＭシンボルがあり、ＯＦＤＭシンボルのインデックス値には、例として０から順番に番号が付けられる。ｓｔａｒｔ＿ｓｙｍｂｏｌ＿ｉｎｄｅｘ＿ｉｎ＿ｓｌｏｔの値の範囲は[０,１３]である。基地局側では、基地局は、ランダムアクセスプリアンブルの時間周波数リソース位置を検出することにより、ｓｔａｒｔ＿ｓｙｍｂｏｌ＿ｉｎｄｅｘ＿ｉｎ＿ｓｌｏｔの値を取得してもよい。
【００４９】
ｓｌｏｔ＿ｉｄは、その１０ｍｓ無線フレーム内のランダムアクセスプリアンブルによって占有されるスロットのインデックスである。１０ｍｓ無線フレーム内のスロットのインデックスには、１から順番に番号を付けることができる。基地局側では、基地局はランダムアクセスプリアンブルの時間周波数リソース位置を検出することでｓｌｏｔ＿ｉｄの値を取得できる。
【００５０】
Ｎ＿ｓｙｍｂｏｌ＿ｐｅｒ＿ｓｌｏｔは、スロット内のＯＦＤＭシンボルの数である。サブキャリア間隔が１５ＫＨｚ、３０ＫＨｚ、６０ＫＨｚ、または１２０ＫＨｚの場合、Ｎ＿ｓｙｍｂｏｌ＿ｐｅｒ＿ｓｌｏｔの値は１４である。Ｎ＿ｓｙｍｂｏｌ＿ｐｅｒ＿ｓｌｏｔの値は、基地局と端末の両方に知られている。
【００５１】
Ｎ＿ｓｌｏｔ＿ｐｅｒ＿ｓｕｂｆｒａｍｅは、１ｍｓサブフレーム内のスロットの数を表し、その値は、サブキャリア間隔のサイズに関連している。たとえば、サブキャリア間隔が１５ ＫＨｚの場合、Ｎ＿ｓｌｏｔ＿ｐｅｒ＿ｓｕｂｆｒａｍｅの値は１である。サブキャリア間隔が３０ ＫＨｚの場合、Ｎ＿ｓｌｏｔ＿ｐｅｒ＿ｓｕｂｆｒａｍｅの値は２である。サブキャリア間隔が６０ ＫＨｚの場合、Ｎ＿ｓｌｏｔ＿ｐｅｒ＿ｓｕｂｆｒａｍｅの値は４である。サブキャリア間隔が１２０ ＫＨｚの場合、Ｎ＿ｓｌｏｔ＿ｐｅｒ＿ｓｕｂｆｒａｍｅの値は８である。Ｎ＿ｓｙｍｂｏｌ＿ｐｅｒ＿ｓｌｏｔの値は、基地局と端末の両方に知られている。
【００５２】
ｆ＿ｉｄは、ＰＲＡＣＨによって占有される周波数領域帯域幅のインデックスである。ＰＲＡＣＨとＲＡＣＨの間にはマッピング関係があり、端末はＲＡＣＨでランダムアクセスプリアンブルを送信する。ＰＲＡＣＨによって占有される周波数領域帯域幅は事前に合意されている場合があり、基地局と端末の両方に知られている。
【００５３】
第２の方法
第２の方法では、ＲＡ−ＲＮＴＩを計算するために使用される時間領域リソースに関連するパラメータは、ランダムアクセスプリアンブルによって占有されるスロット内のランダムアクセスプリアンブルシーケンスのインデックス（当該インデックスは、当該ランダムアクセスプリアンブルによって占有されるスロットに対応する）と、ランダムアクセスプリアンブルシーケンスに含まれるＯＦＤＭシンボルの数（当該シンボルの数は当該ランダムアクセスプリアンブルシーケンスのフォーマットに対応する）と、無線フレーム内のランダムアクセスプリアンブルによって占有されるスロットのインデックス戸を含む。そして、ＲＡ−ＲＮＴＩを計算するために使用される周波数領域リソースに関連するパラメータは、係数に基づいて修正されたＰＲＡＣＨによって占有される周波数領域帯域幅のインデックスを含むことができ、当該係数は１サブフレーム内のスロットの数および１スロット内のシンボルの数に従って取得され得る。
【００５４】
以下の式（３）は、第２の方法に基づいてＲＡ−ＲＮＴＩを計算する方法を例示的に示す。
【００５５】
ＲＡ−ＲＮＴＩ = １ + ｓｅｑｕｅｎｃｅ＿ｉｄ＿ｐｅｒ＿ｓｌｏｔ * Ｎ＿ＯＳ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ………[３]
ここで、
ｓｅｑｕｅｎｃｅ＿ｉｄ＿ｐｅｒ＿ｓｌｏｔは、ランダムアクセスプリアンブルによって占有されるスロット内のランダムアクセスプリアンブルシーケンスのインデックスである。ここで、スロットとランダムアクセスプリアンブルのインデックス間の対応関係は、設定されるまたは事前に合意されている。基地局側では、基地局は、ランダムアクセスプリアンブルの時間周波数リソース位置を検出することにより、ランダムアクセスプリアンブルが占有するスロット（ｓｌｏｔ＿ｉｄ）および対応するｓｅｑｕｅｎｃｅ＿ｉｄ＿ｐｅｒ＿ｓｌｏｔの値を取得してもよい。
【００５６】
Ｎ＿ＯＳは、ランダムアクセスプリアンブルシーケンスに含まれるＯＦＤＭシンボルの数であり、その値の範囲は１、２、４、６、および１２である。ここで、Ｎ＿ＯＳは事前設定または事前に合意されている。その値は、ランダムアクセスプリアンブルのフォーマットに関連している。たとえば、ショートシーケンスのランダムアクセスプリアンブルのさまざまなフォーマットについて、Ｎ＿ＯＳの値を表１に示す。基地局側では、基地局は、検出された時間周波数に従って対応するランダムアクセスプリアンブルフォーマットを決定する。ランダムアクセスプリアンブルが占有するリソース（ランダムアクセスプリアンブルの時間周波数リソースと使用されるフォーマットとの対応は、事前に設定されるまたは事前に合意されている場合がある）、その後、ランダムアクセスプリアンブルフォーマットに従ってＮ＿ＯＳの対応する値を決定する。
【００５７】
ｓｌｏｔ＿ｉｄ、Ｎ＿ｓｙｍｂｏｌ＿ｐｅｒ＿ｓｌｏｔ、Ｎ＿ｓｌｏｔ＿ｐｅｒ＿ｓｕｂｆｒａｍｅ、およびｆ＿ｉｄの意味は、第１の方法と同じである。
【００５８】
第３の方法
方法３において、ＲＡ−ＲＮＴＩを計算するために使用される時間領域リソースに関連するパラメータは、ランダムアクセスプリアンブルによって占有されるスロット内のランダムアクセスプリアンブルシーケンスのインデックスと、無線フレーム内のランダムアクセスプリアンブルによって占有されるスロットのインデックスと、１スロット内のＯＦＤＭシンボルの数とを含む。そして、ＲＡ−ＲＮＴＩを計算するために使用される周波数領域リソースに関連するパラメータは、係数に基づいて修正されたＰＲＡＣＨによって占有される周波数領域帯域幅のインデックスを含むことができ、当該係数はサブフレーム内のスロットの数およびスロット内のシンボルの数に従って取得され得る。
【００５９】
以下の式（４）は、第３の方法に基づいてＲＡ−ＲＮＴＩを計算する方法を例示的に示す。
【００６０】
ＲＡ−ＲＮＴＩ = １ + ｓｅｑｕｅｎｃｅ＿ｉｄ＿ｐｅｒ＿ｓｌｏｔ + ｓｌｏｔ＿ｉｄ * Ｎ＿ｓｅｑｕｅｎｃｅ＿ｐｅｒ＿ｓｌｏｔ ＋ １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ…………………[４]
ここで、
Ｎ＿ｓｅｑｕｅｎｃｅ＿ｐｅｒ＿ｓｌｏｔは、ランダムアクセスプリアンブルによって占有されるスロット内のランダムアクセスプリアンブルシーケンスの総数である。ここでは、スロットのインデックス（slot_id）とＮ＿ｓｅｑｕｅｎｃｅ＿ｐｅｒ＿ｓｌｏｔの間に対応関係があり、１スロットのＮ＿ｓｅｑｕｅｎｃｅ＿ｐｅｒ＿ｓｌｏｔの値は事前設定または事前に合意されている。基地局側では、基地局は、ランダムアクセスプリアンブルの時間周波数リソース位置を検出することにより、ランダムアクセスプリアンブルによって占有されているスロットのインデックス（slot_id）を取得し、次に、当該ｓｌｏｔ＿ｉｄに基づいてＮ＿ｓｅｑｕｅｎｃｅ＿ｐｅｒ＿ｓｌｏｔの対応する値を決定する。
【００６１】
ｓｅｑｕｅｎｃｅ＿ｉｄ＿ｐｅｒ＿ｓｌｏｔ、ｓｌｏｔ＿ｉｄ、Ｎ＿ｓｙｍｂｏｌ＿ｐｅｒ＿ｓｌｏｔ、Ｎ＿ｓｌｏｔ＿ｐｅｒ＿ｓｕｂｆｒａｍｅおよびｆ＿ｉｄの意味は、第１の方法と同じである。
【００６２】
図２を参照すると、それは本発明の実施形態により提供されるランダムアクセスプロセスである。示されているように、プロセスには以下のステップが含まれる。
【００６３】
Ｓ２０１：端末はランダムアクセスプリアンブルを送信する。このステップで送信されるメッセージは、Ｍｓｇ１とも呼ばれる。Ｍｓｇ１はランダムアクセスチャンネル（ｒａｎｄｏｍ ａｃｃｅｓｓ ｃｈａｎｎｅｌ，ＲＡＣＨ）で送信でき、ＲＡＣＨとPＲＡＣＨの間にはマッピング関係がある。
【００６４】
Ｓ２０２：基地局は、端末によって送信されたランダムアクセスプリアンブルを受信し、当該ランダムアクセスプリアンブルによって占有されるシンボルレベルの時間周波数リソースに基づいて、ＲＡ−ＲＮＴＩを決定し、ランダムアクセス応答メッセージを送信する。当該ランダムアクセス応答メッセージはＭｓｇ２メッセージとも呼ばれる。前記ランダムアクセス応答メッセージには、基地局によって端末に割り当てられたダウンリンク制御情報（ｄｏｗｎｌｉｎｋ ｃｏｎｔｒｏｌ ｉｎｆｏｒｍａｔｉｏｎ，ＤＣＩ）が含まれ、前記ＤＣＩのＣＲＣは当該ＲＡ−ＲＮＴＩを使用してスクランブルされる。
【００６５】
具体的には、基地局は、上述の実施形態で説明された方法を使用することによってＲＡ−ＲＡＴＩを計算することができる。
【００６６】
このステップにおいて、前記ＤＣＩは以下の情報を含むことができる：基地局によって受信されたランダムアクセスプリアンブルのインデックス、アップリンク送信の時間調整（ＴＡ）、物理アップリンク共有チャネル（ｐｈｙｓｉｃａｌ ｕｐｌｉｎｋ ｓｈａｒｅｄ ｃｈａｎｎｅｌ，ＰＵＳＣＨ）スケジューリング情報、および割り当てられた一時的なセル無線ネットワーク一時識別子（ｃｅｌｌ ｒａｄｉｏ ｎｅｔｗｏｒｋ ｔｅｍｐｏｒａｒｙ ｉｄｅｎｔｉｆｉｅｒ，Ｃ−ＲＮＴＩ）など。
【００６７】
Ｓ２０３：端末は、基地局によって送信されたランダムアクセス応答メッセージを受信し、決定されたＲＡ−ＲＮＴＩを使用して、当該ランダムアクセス応答メッセージに含まれるダウンリンク制御情報をデスクランブルする。ここで、端末は、上記の実施形態で提供される方法を使用して、端末によって送信されたランダムアクセスプリアンブルによって占有される時間周波数リソースに従ってＲＡ−ＲＮＴＩを決定することができる。
【００６８】
さらに、競合ランダムアクセスプロセスの場合、Ｓ２０３は、さらに、端末が、ランダムアクセス応答で運ばれるスケジューリング情報およびＴＡ情報に従ってアップリンクデータを送信することを含み得る。このステップで送信されるメッセージはＭｓｇ３と呼ばれ、当該端末の唯一のＩＤ、つまりＴＭＳＩが含まれ、端末のＲＲＣ（ｒａｄｉｏ ｒｅｓｏｕｒｓｅ ｃｏｎｔｒｏｌ，ＲＲＣ）層によって生成された無線リソース制御（ＲＲＣ）接続要求が含まれる。
【００６９】
さらに、競合ランダムアクセスプロセスの場合、Ｓ２０３の後、プロセスはさらに以下のステップを含むことができる。
【００７０】
Ｓ２０５：基地局は、端末からＭｓｇ３メッセージを受信した後にアクセスできた端末に競合解決メッセージ（Ｍｓｇ４メッセージとも呼ばれる）を返す。当該Ｍｓｇ４メッセージには、正常にアクセスする端末の唯一のＩＤ（Ｃ−ＲＮＴＩなど）と、基地局のＲＲＣレイヤーによって生成されるRRＣ接続確立応答が含まれる。
【００７１】
本発明の実施形態をより明確に理解するために、本発明の実施形態における式（２）、（３）、および（４）によって提供されるＲＡ−ＲＮＴＩを計算する３つの方法を説明する。３つの特定のアプリケーションシナリオと図２に示すプロセスと組み合わせて、それぞれ以下のようになる。
【００７２】
第１のシナリオ
このシナリオは、上述の第１の方法を使用することによりＲＡ−ＲＮＴＩを計算する例を説明する。表２に示すランダムアクセスプリアンブルの数の構成テーブルは、基地局と端末で設定されることができる。
【００７３】
【表２】
2020533903.tif 000004
【００７４】
上記表２は、ランダムアクセスプリアンブルシーケンスによって占有されるスロットと、当該スロット内の占有される開始ＯＦＤＭシンボルを定義する。
【００７５】
このシナリオの例として、サブキャリア間隔は１５ＫＨｚであり、この場合、Ｎ＿ｓｌｏｔ＿ｐｅｒ＿ｓｕｂｆｒａｍｅ = １、Ｎ＿ｓｙｍｂｏｌ＿ｐｅｒ＿ｓｌｏｔ = １４、およびｓｔａｒｔ＿ｓｙｍｂｏｌ＿ｉｎｄｅｘ＿ｉｎ＿ｓｌｏｔの値の範囲は０〜１３である。このとき、式（２）は簡略化される。次の式（５）とする：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * １４ + １０ * １４ * ｆ＿ｉｄ
【００７６】
図２に示されるプロセスに基づいて、このシナリオでは：
Ｓ２０１において、端末は、表２に従ってランダムアクセスプリアンブルの送信リソースを決定することができ、例えば、スロット１のＯＦＤＭシンボル０から始まってランダムアクセスプリアンブルシーケンス０を送信するか、ランダムアクセスを送信することができる。または、スロット４のＯＦＤＭシンボル１から始まってプリアンブルシーケンス１を送信する。送信されるランダムアクセスプリアンブルは、どのようなフォーマットでもかまわない。
【００７７】
Ｓ２０２において、基地局は、ｓｌｏｔ＿ｉｄおよびｓｔａｒｔ＿ｓｙｍｂｏｌ＿ｉｎｄｅｘ＿ｉｎ＿ｓｌｏｔを取得するために、端末によって送信されたランダムアクセスプリアンブルによって占有される時間周波数リソースを検出する。基地局はまた、ランダムアクセスプリアンブルによって占有される時間周波数リソースを検出することによりslot_idを取得し、その後、対応するｓｔａｒｔ＿ｓｙｍｂｏｌ＿ｉｎｄｅｘ＿ｉｎ＿ｓｌｏｔを取得するためにslot_idに従って上記表２を照会してもよい。基地局は、検出されたslot_idおよびｓｔａｒｔ＿ｓｙｍｂｏｌ＿ｉｎｄｅｘ＿ｉｎ＿ｓｌｏｔに従ってＲＡ−ＲＮＴＩを計算し、上記の式（５）に基づいて、ＲＡ−ＲＮＴＩを使用して端末のＤＣＩのＣＲＣをスクランブルし、ランダムアクセス応答でＤＣＩを送信する。
【００７８】
Ｓ２０３において、端末は、上記式（５）に従ってＲＡ−ＲＮＴＩを計算し、ＲＡ−ＲＮＴＩを用いて受信されたＤＣＩのＣＲＣをデスクランブルし、それにより復号して当該ＤＣＩを取得する。
【００７９】
第２のシナリオ
このシナリオは、上述の第２の方法を使用することによりＲＡ−ＲＮＴＩを計算する例を説明する。表３に示すランダムアクセスプリアンブルの数の構成テーブルは、基地局と端末で設定されることできる。
【００８０】
【表３】
2020533903.tif 000005
【００８１】
上記表３は、ランダムアクセスプリアンブルによって使用されるフォーマットＡ１の対応するスロットにおけるランダムアクセスプリアンブルによって占有されるスロットおよびランダムアクセスプリアンブルシーケンスのインデックスを定義する。
【００８２】
このシナリオの例として、サブキャリア間隔は１５ＫＨｚであり、この場合、Ｎ＿ｓｌｏｔ＿ｐｅｒ＿ｓｕｂｆｒａｍｅ = １およびＮ＿ｓｙｍｂｏｌ＿ｐｅｒ＿ｓｌｏｔ = １４である。ランダムアクセスプリアンブルシーケンスフォーマットＡ１の場合、各ランダムアクセスプリアンブルシーケンスに含まれるＯＦＤＭシンボルの数はＮ＿ＯＳ = ２、ｓｅｑｕｅｎｃｅ＿ｉｄ＿ｐｅｒ＿ｓｌｏｔの値の範囲は０〜６である。このとき、式（３）は次の式（６）のように簡略化される。
【００８３】
ＲＡ−ＲＮＴＩ = １ + ｓｅｑｕｅｎｃｅ＿ｉｄ＿ｐｅｒ＿ｓｌｏｔ * ２ + ｓｌｏｔ＿ｉｄ * １４+ １０ * １４ * ｆ＿ｉｄ
【００８４】
図２に示されるプロセスに基づいて、このシナリオでは：
Ｓ２０１において、端末は、フォーマットＡ１を使用するランダムアクセスプリアンブルシーケンスを決定し、端末は、例えば表３に従ってランダムアクセスプリアンブルによって占有されるスロットを決定し、例えば、スロット１においてフォーマットＡ１を使用するランダムアクセスプリアンブルシーケンス０を送信することができる。またはスロット４において、フォーマットＡ１を使用するランダムアクセスプリアンブルシーケンス１を送信する。
【００８５】
Ｓ２０２において、基地局は、端末によって送信されたランダムアクセスプリアンブルによって占有される時間周波数リソースを検出してｓｌｏｔ＿ｉｄを取得し、ランダムアクセスプリアンブルによって占有される時間周波数リソースとランダムアクセスプリアンブルフォーマットの間の対応関係（この対応関係は事前設定または事前に合意されている）に基づいてランダムアクセスプリアンブルシーケンスのフォーマットをＡ１として決定する。その後、当該ｓｌｏｔ＿ｉｄに従って上記の表３を照会し、対応するｓｅｑｕｅｎｃｅ＿ｉｄ＿ｐｅｒ＿ｓｌｏｔを取得する。基地局は、検出されたｓｌｏｔ＿ｉｄおよびｓｅｑｕｅｎｃｅ＿ｉｄ＿ｐｅｒ＿ｓｌｏｔに従って、上記の式（６）に基づいてＲＡ−ＲＮＴＩを計算し、当該ＲＡ−ＲＮＴＩを使用して端末のＤＣＩのＣＲＣをスクランブルし、ランダムアクセス応答を通じて当該ＤＣＩを送信する。
【００８６】
Ｓ２０３において、端末は、上記式（６）に従ってＲＡ−ＲＮＴＩを計算し、当該ＲＡ−ＲＮＴＩを用いて受信されたＤＣＩのＣＲＣをデスクランブルし、それにより復号してＤＣＩを得る。
【００８７】
第３のシナリオ
このシナリオは、上述の第３の方法を使用することによりＲＡ−ＲＮＴＩを計算する例を説明する。表４に示すランダムアクセスプリアンブルの数の構成テーブルは、基地局と端末で設定されることができる。
【００８８】
【表４】
2020533903.tif 000006
【００８９】
上記の表４は、各ランダムアクセスプリアンブルシーケンスによって使用されるフォーマットについて、各ランダムアクセスプリアンブルによって占有されるスロットと、対応するスロット内のランダムアクセスプリアンブルシーケンスのインデックスを定義する。
【００９０】
このシナリオの例として、サブキャリア間隔は１５ＫＨｚであり、この場合、Ｎ＿ｓｌｏｔ＿ｐｅｒ＿ｓｕｂｆｒａｍｅ = １およびＮ＿ｓｙｍｂｏｌ＿ｐｅｒ＿ｓｌｏｔ = １４である。ランダムアクセスプリアンブルシーケンスフォーマットＡ１では、１スロットに含まれるランダムアクセスプリアンブルシーケンスの数はＮ＿ｓｅｑｕｅｎｃｅ＿ｐｅｒ＿ｓｌｏｔである。= ７、ｓｅｑｕｅｎｃｅ＿ｉｄ＿ｐｅｒ＿ｓｌｏｔの値の範囲は０〜６である。このとき、式（４）は次の式（７）のように簡略化される。
【００９１】
ＲＡ−ＲＮＴＩ = １ + ｓｅｑｕｅｎｃｅ＿ｉｄ＿ｐｅｒ＿ｓｌｏｔ + ｓｌｏｔ＿ｉｄ * ７ + １０ * １４ * ｆ＿ｉｄ
【００９２】
図２に示されるプロセスに基づいて、このシナリオでは：
Ｓ２０１において、端末は、フォーマットＡ１を使用するランダムアクセスプリアンブルシーケンスを決定し、端末は、例えば表４に従ってランダムアクセスプリアンブルによって占有されるスロットを決定し、例えば、スロット１において、フォーマットＡ１を使用するランダムアクセスプリアンブルシーケンス０を送信することができる。またはスロット４において、フォーマットＡ１のランダムアクセスプリアンブルシーケンス１を送信する。
【００９３】
Ｓ２０２において、基地局は、端末によって送信されたランダムアクセスプリアンブルによって占有される時間−周波数リソースを検出してｓｌｏｔ＿ｉｄを取得し、ランダムアクセスプリアンブルによって占有される時間周波数リソースとランダムアクセスプリアンブルフォーマットの間の対応関係（この対応関係は事前設定または事前に合意されている）に基づいてランダムアクセスプリアンブルシーケンスのフォーマットをＡ１として決定する。次に、ｓｌｏｔ＿ｉｄに従って上記の表４を照会し、対応するｓｅｑｕｅｎｃｅ＿ｉｄ＿ｐｅｒ＿ｓｌｏｔを取得する。基地局は、検出されたｓｌｏｔ＿ｉｄおよびｓｅｑｕｅｎｃｅ＿ｉｄ＿ｐｅｒ＿ｓｌｏｔに従って、上記の式（７）に基づいてＲＡ−ＲＮＴＩを計算し、ＲＡ−ＲＮＴＩを使用して端末のＤＣＩのＣＲＣをスクランブルし、ランダムアクセス応答を通じてＤＣＩを送信する。
【００９４】
Ｓ２０３において、端末は、上記の式（７）に従ってＲＡ−ＲＮＴＩを計算し、ＲＡ−ＲＮＴＩを使用することによって受信したＤＣＩのＣＲＣをデスクランブルし、それによってＤＣＩを得るために復号する。
【００９５】
本発明の上記実施形態において、ＲＡ−ＲＮＴＩは、ランダムアクセスプリアンブルによって占有される時間周波数リソースに従って決定されてもよく、前記時間周波数リソースはシンボルレベルの時間周波数リソースである。ＲＡ−ＲＮＴＩはランダムアクセスプリアンブルによって占有されるシンボルレベルの時間周波数リソースに基づいて計算されるため、ＮＲシステムの場合、ショートシーケンスのプリアンブルフォーマットおよびサブキャリア間隔の多様な状況に応じて、ランダムアクセスプリアンブルの時間間隔はシンボルレベルに基づく。ＮＲシステムのランダムアクセスプロセスでＲＡ−ＲＮＴＩの決定を実現する。
【００９６】
本出願の上述の実施形態により、５Ｇ ＮＲのランダムアクセスメカニズムが正常に動作できることが保証され得る。特にＮＲショートシーケンス（L=１３９または１２７）のランダムアクセスプリアンブルフォーマットの場合、１スロットには複数のランダムアクセスプリアンブルシーケンスが含まれる場合があり、無線フレームに含まれるスロットの数はサブキャリア間隔によって異なるため、本発明は、既存のＬＴＥシステムの式を使用してＲＡ−ＲＮＴＩを計算することは不可能であるという問題に対して提案された。
【００９７】
同じ技術的思想に基づいて、本出願の実施形態は、上述の実施形態における基地局側の機能を実施することができる基地局をさらに提供する。
【００９８】
図３を参照すると、それは本発明の実施形態により提供される基地局の構造概略図である。示されるように、基地局は、受信モジュール３０１、決定モジュール３０２、および送信モジュール３０３を含み得る。
【００９９】
受信モジュール３０１は、端末によって送信されたランダムアクセスプリアンブルを受信する。決定モジュール３０２は、前記ランダムアクセスプリアンブルによって占有される時間周波数リソースに基づいてＲＡ−ＲＮＴＩを決定し、前記時間周波数リソースは、直交周波数分割多重（ＯＦＤＭ）シンボルレベルの時間周波数リソースである。送信モジュール３０３は、ランダムアクセス応答メッセージを送信し、前記ランダムアクセス応答メッセージは、前記端末は、前記基地局によって割り当てられたダウンリンク制御情報を含み、前記ダウンリンク制御情報は、前記ＲＡ−ＲＮＴＩを使用してスクランブルされる。
【０１００】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、スロット内の前記ランダムアクセスプリアンブルによって占有される開始ＯＦＤＭシンボルのインデックス、および無線フレーム内のランダムアクセスプリアンブルによって占有されるスロットのインデックスを含み、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【０１０１】
任意選択で、前記ＲＡ−ＲＮＴの計算式は次のとおりである：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスであり、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【０１０２】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定される。
【０１０３】
前記時間領域リソースに関連するパラメータは、前記ランダムアクセスプリアンブルによって占有されるスロット内のランダムアクセスプリアンブルシーケンスのインデックスと、前記ランダムアクセスプリアンブルのシーケンスに含まれるＯＦＤＭシンボルの数と、前記無線フレーム内のランダムアクセスプリアンブルによって占有されるスロットのインデックスとを含み、スロット内の前記ランダムアクセスプリアンブルによって占有される開始ＯＦＤＭシンボルのインデックスは、前記ランダムアクセスプリアンブルによって占有されるスロットに対応し、前記ランダムアクセスプリアンブルのシーケンスに含まれるＯＦＤＭシンボルの数は、当該ランダムアクセスプリアンブルのシーケンスのフォーマットに対応する。
【０１０４】
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【０１０５】
任意選択で、前記ＲＡ−ＲＮＴの計算式は次のとおりである：
ＲＡ−ＲＮＴＩ = １ + ｓｅｑｕｅｎｃｅ＿ｉｄ＿ｐｅｒ＿ｓｌｏｔ * Ｎ＿ＯＳ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｅｑｕｅｎｃｅ＿ｉｄ＿ｐｅｒ＿ｓｌｏｔは、ランダムアクセスプリアンブルによって占有されるスロット内の、ランダムアクセスプリアンブルのシーケンスのインデックスであり、ここで、スロットとランダムアクセスプリアンブルのインデックスとの間の対応関係は、事前に設定されるか、事前に合意された関係である。
【０１０６】
Ｎ＿ＯＳは、１つのランダムアクセスプリアンブルのシーケンスに含まれるＯＦＤＭシンボルの数であり、前記Ｎ＿ＯＳは、事前に設定されるか、事前に合意され、異なるランダムアクセスプリアンブルのシーケンスは異なるＮ＿ＯＳに対応し、
ｓｌｏｔ＿ｉｄは、無線フレーム内のランダムアクセスプリアンブルによって占有されるスロットのインデックスである。
【０１０７】
Ｎ＿ｓｙｍｂｏｌ＿ｐｅｒ＿ｓｌｏｔは、１つのスロット内のＯＦＤＭシンボルの数を表す。
【０１０８】
Ｎ＿ｓｌｏｔ＿ｐｅｒ＿ｓｕｂｆｒａｍｅは、１つのサブフレーム内のスロットの数を表す。
【０１０９】
ｆ＿ｉｄは、ＰＲＡＣＨによって占有される周波数領域帯域幅のインデックスである。
【０１１０】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定さる。
【０１１１】
前記時間領域リソースに関連するパラメータは、前記ランダムアクセスプリアンブルによって占有されるスロット内のランダムアクセスプリアンブルシーケンスのインデックスと、前記ランダムアクセスプリアンブルによって占有されるスロット内のランダムアクセスプリアンブルシーケンスの総数と、前記無線フレーム内のランダムアクセスプリアンブルによって占有されるスロットのインデックスとを含み、スロット内の前記ランダムアクセスプリアンブルによって占有される開始ＯＦＤＭシンボルのインデックスは、前記ランダムアクセスプリアンブルによって占有されるスロットに対応し、前記ランダムアクセスプリアンブルによって占有されるスロット内のランダムアクセスプリアンブルシーケンスの総数は、スロットインデックスに対応する。
【０１１２】
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【０１１３】
任意選択で、前記ＲＡ−ＲＮＴの計算式は次のとおりである：
ＲＡ−ＲＮＴＩ = １ + ｓｅｑｕｅｎｃｅ＿ｉｄ＿ｐｅｒ＿ｓｌｏｔ + ｓｌｏｔ＿ｉｄ * Ｎ＿ｓｅｑｕｅｎｃｅ＿ｐｅｒ＿ｓｌｏｔ ＋ １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｅｑｕｅｎｃｅ＿ｉｄ＿ｐｅｒ＿ｓｌｏｔは、ランダムアクセスプリアンブルによって占有されるスロット内の、ランダムアクセスプリアンブルのシーケンスのインデックスであり、ここで、スロットとランダムアクセスプリアンブルのインデックスとの間の対応関係は、事前に設定されるか、事前に合意された関係である。
【０１１４】
Ｎ＿ｓｅｑｕｅｎｃｅ＿ｐｅｒ＿ｓｌｏｔは、ランダムアクセスプリアンブルによって占有されるスロット内のランダムアクセスプリアンブルシーケンスの総数であり、ここで、Ｎ＿ｓｅｑｕｅｎｃｅ＿ｐｅｒ＿ｓｌｏｔは、スロットに対応し、１スロット内のランダムアクセスプリアンブルシーケンスの総数は、事前に設定されるか、事前に合意される。
【０１１５】
ｓｌｏｔ＿ｉｄは、無線フレーム内のランダムアクセスプリアンブルによって占有されるスロットのインデックスである。
【０１１６】
Ｎ＿ｓｙｍｂｏｌ＿ｐｅｒ＿ｓｌｏｔは、１つのスロット内のＯＦＤＭシンボルの数を表す。
【０１１７】
Ｎ＿ｓｌｏｔ＿ｐｅｒ＿ｓｕｂｆｒａｍｅは、１つのサブフレーム内のスロットの数を表す。
【０１１８】
ｆ＿ｉｄは、ＰＲＡＣＨによって占有される周波数領域帯域幅のインデックスである。
【０１１９】
同じ技術的思想に基づいて、本出願の一実施形態は、上述の実施形態における端末側の機能を実施することができる端末をさらに提供する。
【０１２０】
図４を参照すると、それは本発明の実施形態によって提供される端末の構造概略図である。示されるように、端末は、送信モジュール４０１、決定モジュール４０２、および受信モジュール４０３を含み得る。
【０１２１】
送信モジュール４０１は基地局にランダムアクセスプリアンブルシーケンスを送信する。決定モジュール４０２は、前記ランダムアクセスプリアンブルシーケンスによって占有された時間周波数リソースに基づき、ＲＡ−ＲＮＴＩを決定する。前記時間周波数リソースは、ＯＦＤＭシンボルレベルの時間周波数リソースである。受信モジュール４０３は、前記基地局によって送信されたランダムアクセス応答メッセージを受信し、前記ＲＡ−ＲＮＴＩを使用して、前記ランダムアクセス応答メッセージに含まれるダウンリンク制御情報をデスクランブルする。
【０１２２】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定される。
【０１２３】
前記時間領域リソースに関連するパラメータは、スロット内の前記ランダムアクセスプリアンブルによって占有される開始ＯＦＤＭシンボルのインデックス、および無線フレーム内のランダムアクセスプリアンブルによって占有されるスロットのインデックスを含む。
【０１２４】
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【０１２５】
任意選択で、前記ＲＡ−ＲＮＴの計算式は次のとおりである：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスであり、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【０１２６】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定される。
【０１２７】
前記時間領域リソースに関連するパラメータは、前記ランダムアクセスプリアンブルによって占有されるスロット内のランダムアクセスプリアンブルシーケンスのインデックスと、前記ランダムアクセスプリアンブルのシーケンスに含まれるＯＦＤＭシンボルの数と、前記無線フレーム内のランダムアクセスプリアンブルによって占有されるスロットのインデックスとを含み、スロット内の前記ランダムアクセスプリアンブルによって占有される開始ＯＦＤＭシンボルのインデックスは、前記ランダムアクセスプリアンブルによって占有されるスロットに対応し、前記ランダムアクセスプリアンブルのシーケンスに含まれるＯＦＤＭシンボルの数は、当該ランダムアクセスプリアンブルのシーケンスのフォーマットに対応する。
【０１２８】
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【０１２９】
任意選択で、前記ＲＡ−ＲＮＴの計算式は次のとおりである：
ＲＡ−ＲＮＴＩ = １ + ｓｅｑｕｅｎｃｅ＿ｉｄ＿ｐｅｒ＿ｓｌｏｔ * Ｎ＿ＯＳ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｅｑｕｅｎｃｅ＿ｉｄ＿ｐｅｒ＿ｓｌｏｔは、ランダムアクセスプリアンブルによって占有されるスロット内の、ランダムアクセスプリアンブルのシーケンスのインデックスであり、ここで、スロットとランダムアクセスプリアンブルのインデックスとの間の対応関係は、事前に設定されるか、事前に合意された関係であり、
Ｎ＿ＯＳは、１つのランダムアクセスプリアンブルのシーケンスに含まれるＯＦＤＭシンボルの数であり、前記Ｎ＿ＯＳは、事前に設定されるか、事前に合意され、異なるランダムアクセスプリアンブルのシーケンスは異なるＮ＿ＯＳに対応し、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【０１３０】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、前記ランダムアクセスプリアンブルによって占有されるスロット内のランダムアクセスプリアンブルシーケンスのインデックスと、前記ランダムアクセスプリアンブルによって占有されるスロット内のランダムアクセスプリアンブルシーケンスの総数と、前記無線フレーム内のランダムアクセスプリアンブルによって占有されるスロットのインデックスとを含み、スロット内の前記ランダムアクセスプリアンブルによって占有される開始ＯＦＤＭシンボルのインデックスは、前記ランダムアクセスプリアンブルによって占有されるスロットに対応し、前記ランダムアクセスプリアンブルによって占有されるスロット内のランダムアクセスプリアンブルシーケンスの総数は、スロットインデックスに対応し、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【０１３１】
任意選択で、前記ＲＡ−ＲＮＴの計算式は次のとおりである：
ＲＡ−ＲＮＴＩ = １ + ｓｅｑｕｅｎｃｅ＿ｉｄ＿ｐｅｒ＿ｓｌｏｔ + ｓｌｏｔ＿ｉｄ * Ｎ＿ｓｅｑｕｅｎｃｅ＿ｐｅｒ＿ｓｌｏｔ ＋ １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｅｑｕｅｎｃｅ＿ｉｄ＿ｐｅｒ＿ｓｌｏｔは、ランダムアクセスプリアンブルによって占有されるスロット内の、ランダムアクセスプリアンブルのシーケンスのインデックスであり、ここで、スロットとランダムアクセスプリアンブルのインデックスとの間の対応関係は、事前に設定されるか、事前に合意された関係であり、
Ｎ＿ｓｅｑｕｅｎｃｅ＿ｐｅｒ＿ｓｌｏｔは、ランダムアクセスプリアンブルによって占有されるスロット内のランダムアクセスプリアンブルシーケンスの総数であり、ここで、Ｎ＿ｓｅｑｕｅｎｃｅ＿ｐｅｒ＿ｓｌｏｔは、スロットに対応し、１スロット内のランダムアクセスプリアンブルシーケンスの総数は、事前に設定されるか、事前に合意され、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【０１３２】
同じ技術的思想に基づいて、本出願の一実施形態は、上記の実施形態における基地局側の機能を実施することができる通信装置をさらに提供する。
【０１３３】
図５を参照すると、それは本発明の実施形態によって提供される通信装置の構造概略図である。示されるように、通信装置は、プロセッサ５０１、メモリ５０２、送受信機５０３、およびバスインターフェースを含み得る。
【０１３４】
プロセッサ５０１は、バスアーキテクチャ及び通常の処理を管理し、メモリ５０２は、プロセッサ５０１が動作する際に利用するデータを記憶することができる。送受信機５０３は、プロセッサ５０１の制御の下でデータを送受信する。
【０１３５】
バスアーキテクチャは、いずれ数の相互接続するバス及びブリッジを備える。具体的に、プロセッサ５０１が代表となる１つまたは複数のプロセッサ及びメモリ５０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。プロセッサ５０１は、バスアーキテクチャ及び通常の処理を管理し、メモリ５０２は、プロセッサ５０１が動作する際に利用するデータを記憶することができる。
【０１３６】
本発明の実施形態にかかる流れは、プロセッサ５０１に適用することができるか、または、プロセッサ５０１により実現される。実現の間、信号処理流れにおける各々ステップは、プロセッサ５０１内のハードウェアの論理集積回路またはソフトウェア形式の指令により完成されることができる。プロセッサ５０１は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ５０２に位置し、プロセッサ５０１はメモリ５０２に格納される情報を読み出して、そのハードウェアと協働して周波数領域における拡散伝送のステップを完成する。
【０１３７】
具体的には、プロセッサ５０１は、メモリ５０２内のプログラムを読み取り、以下のプロセスを実行するように構成される：送受信機を介して、端末によって送信されたランダムアクセスプリアンブルを受信し、前記ランダムアクセスプリアンブルによって占有される時間周波数リソースに基づき、ＲＡ−ＲＮＴＩを決定する。前記時間周波数リソースは、直交周波数分割多重（ＯＦＤＭ）シンボルレベルの時間周波数リソースであり、前記送受信機を介してランダムアクセス応答メッセージを送信し、前記ランダムアクセス応答メッセージは、前記端末は、前記基地局によって割り当てられたダウンリンク制御情報を含み、前記ダウンリンク制御情報は、前記ＲＡ−ＲＮＴＩを使用してスクランブルされる。
【０１３８】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定される。
【０１３９】
前記時間領域リソースに関連するパラメータは、スロット内の前記ランダムアクセスプリアンブルによって占有される開始ＯＦＤＭシンボルのインデックス、および無線フレーム内のランダムアクセスプリアンブルによって占有されるスロットのインデックスを含む。
【０１４０】
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【０１４１】
任意選択で、前記ＲＡ−ＲＮＴの計算式は次のとおりである：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスであり、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【０１４２】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、前記ランダムアクセスプリアンブルによって占有されるスロット内のランダムアクセスプリアンブルシーケンスのインデックスと、前記ランダムアクセスプリアンブルのシーケンスに含まれるＯＦＤＭシンボルの数と、前記無線フレーム内のランダムアクセスプリアンブルによって占有されるスロットのインデックスとを含み、スロット内の前記ランダムアクセスプリアンブルによって占有される開始ＯＦＤＭシンボルのインデックスは、前記ランダムアクセスプリアンブルによって占有されるスロットに対応し、前記ランダムアクセスプリアンブルのシーケンスに含まれるＯＦＤＭシンボルの数は、当該ランダムアクセスプリアンブルのシーケンスのフォーマットに対応し、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【０１４３】
任意選択で、前記ＲＡ−ＲＮＴの計算式は次のとおりである：
ＲＡ−ＲＮＴＩ = １ + ｓｅｑｕｅｎｃｅ＿ｉｄ＿ｐｅｒ＿ｓｌｏｔ * Ｎ＿ＯＳ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｅｑｕｅｎｃｅ＿ｉｄ＿ｐｅｒ＿ｓｌｏｔは、ランダムアクセスプリアンブルによって占有されるスロット内の、ランダムアクセスプリアンブルのシーケンスのインデックスであり、ここで、スロットとランダムアクセスプリアンブルのインデックスとの間の対応関係は、事前に設定されるか、事前に合意された関係であり、
Ｎ＿ＯＳは、１つのランダムアクセスプリアンブルのシーケンスに含まれるＯＦＤＭシンボルの数であり、前記Ｎ＿ＯＳは、事前に設定されるか、事前に合意され、異なるランダムアクセスプリアンブルのシーケンスは異なるＮ＿ＯＳに対応し、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【０１４４】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、前記ランダムアクセスプリアンブルによって占有されるスロット内のランダムアクセスプリアンブルシーケンスのインデックスと、前記ランダムアクセスプリアンブルによって占有されるスロット内のランダムアクセスプリアンブルシーケンスの総数と、前記無線フレーム内のランダムアクセスプリアンブルによって占有されるスロットのインデックスとを含み、スロット内の前記ランダムアクセスプリアンブルによって占有される開始ＯＦＤＭシンボルのインデックスは、前記ランダムアクセスプリアンブルによって占有されるスロットに対応し、前記ランダムアクセスプリアンブルによって占有されるスロット内のランダムアクセスプリアンブルシーケンスの総数は、スロットインデックスに対応し、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【０１４５】
任意選択で、前記ＲＡ−ＲＮＴの計算式は次のとおりである：
ＲＡ−ＲＮＴＩ = １ + ｓｅｑｕｅｎｃｅ＿ｉｄ＿ｐｅｒ＿ｓｌｏｔ + ｓｌｏｔ＿ｉｄ * Ｎ＿ｓｅｑｕｅｎｃｅ＿ｐｅｒ＿ｓｌｏｔ ＋ １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｅｑｕｅｎｃｅ＿ｉｄ＿ｐｅｒ＿ｓｌｏｔは、ランダムアクセスプリアンブルによって占有されるスロット内の、ランダムアクセスプリアンブルのシーケンスのインデックスであり、ここで、スロットとランダムアクセスプリアンブルのインデックスとの間の対応関係は、事前に設定されるか、事前に合意された関係であり、
Ｎ＿ｓｅｑｕｅｎｃｅ＿ｐｅｒ＿ｓｌｏｔは、ランダムアクセスプリアンブルによって占有されるスロット内のランダムアクセスプリアンブルシーケンスの総数であり、ここで、Ｎ＿ｓｅｑｕｅｎｃｅ＿ｐｅｒ＿ｓｌｏｔは、スロットに対応し、１スロット内のランダムアクセスプリアンブルシーケンスの総数は、事前に設定されるか、事前に合意され、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【０１４６】
同じ技術的思想に基づいて、本出願の一実施形態は、上記の実施形態における端末側の機能を実施することができる通信装置をさらに提供する。
【０１４７】
図６を参照すると、それは、本発明の実施形態によって提供される通信装置の構造概略図である。示されるように、通信装置は、プロセッサ６０１、メモリ６０２、送受信機６０３、およびバスインターフェースを含み得る。
【０１４８】
プロセッサ６０１は、バスアーキテクチャ及び通常の処理を管理し、メモリ６０２は、プロセッサ６０１が動作する際に利用するデータを記憶することができる。送受信機６０３は、プロセッサ６０１の制御の下でデータを送受信する。
【０１４９】
バスアーキテクチャは、いずれ数の相互接続するバス及びブリッジを備える。具体的に、プロセッサ６０１が代表となる１つまたは複数のプロセッサ及びメモリ６０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。プロセッサ６０１は、バスアーキテクチャ及び通常の処理を管理し、メモリ６０２は、プロセッサ６０１が動作する際に利用するデータを記憶することができる。
【０１５０】
本発明の実施形態にかかる流れは、プロセッサ６０１に適用することができるか、または、プロセッサ６０１により実現される。実現の間、信号処理流れにおける各々ステップは、プロセッサ６０１内のハードウェアの論理集積回路またはソフトウェア形式の指令により完成されることができる。プロセッサ５０１は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ６０２に位置し、プロセッサ６０１はメモリ６０２に格納される情報を読み出して、そのハードウェアと協働して周波数領域における拡散伝送のステップを完成する。
【０１５１】
具体的には、プロセッサ６０１は、メモリ６０２内のプログラムを読み取り、以下のプロセスを実行するように構成される：前記送受信機を介して基地局にランダムアクセスプリアンブルシーケンスを送信し、前記ランダムアクセスプリアンブルシーケンスによって占有された時間周波数リソースに基づいて、ＲＡ−ＲＮＴＩを決定する。前記時間周波数リソースは、直交周波数分割多重（ＯＦＤＭ）シンボルレベルの時間周波数リソースであり、前記送受信機を介して前記基地局によって送信されたランダムアクセス応答メッセージを受信し、前記ＲＡ−ＲＮＴＩを使用して、前記ランダムアクセス応答メッセージに含まれるダウンリンク制御情報をデスクランブルする。
【０１５２】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、スロット内の前記ランダムアクセスプリアンブルによって占有される開始ＯＦＤＭシンボルのインデックス、および無線フレーム内のランダムアクセスプリアンブルによって占有されるスロットのインデックスを含み、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【０１５３】
任意選択で、前記ＲＡ−ＲＮＴの計算式は次のとおりである：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスであり、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【０１５４】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、前記ランダムアクセスプリアンブルによって占有されるスロット内のランダムアクセスプリアンブルシーケンスのインデックスと、前記ランダムアクセスプリアンブルのシーケンスに含まれるＯＦＤＭシンボルの数と、前記無線フレーム内のランダムアクセスプリアンブルによって占有されるスロットのインデックスとを含み、スロット内の前記ランダムアクセスプリアンブルによって占有される開始ＯＦＤＭシンボルのインデックスは、前記ランダムアクセスプリアンブルによって占有されるスロットに対応し、前記ランダムアクセスプリアンブルのシーケンスに含まれるＯＦＤＭシンボルの数は、当該ランダムアクセスプリアンブルのシーケンスのフォーマットに対応し、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【０１５５】
任意選択で、前記ＲＡ−ＲＮＴの計算式は次のとおりである：
ＲＡ−ＲＮＴＩ = １ + ｓｅｑｕｅｎｃｅ＿ｉｄ＿ｐｅｒ＿ｓｌｏｔ * Ｎ＿ＯＳ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｅｑｕｅｎｃｅ＿ｉｄ＿ｐｅｒ＿ｓｌｏｔは、ランダムアクセスプリアンブルによって占有されるスロット内の、ランダムアクセスプリアンブルのシーケンスのインデックスであり、ここで、スロットとランダムアクセスプリアンブルのインデックスとの間の対応関係は、事前に設定されるか、事前に合意された関係であり、
Ｎ＿ＯＳは、１つのランダムアクセスプリアンブルのシーケンスに含まれるＯＦＤＭシンボルの数であり、前記Ｎ＿ＯＳは、事前に設定されるか、事前に合意され、異なるランダムアクセスプリアンブルのシーケンスは異なるＮ＿ＯＳに対応し、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【０１５６】
任意選択で、前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、前記ランダムアクセスプリアンブルによって占有されるスロット内のランダムアクセスプリアンブルシーケンスのインデックスと、前記ランダムアクセスプリアンブルによって占有されるスロット内のランダムアクセスプリアンブルシーケンスの総数と、前記無線フレーム内のランダムアクセスプリアンブルによって占有されるスロットのインデックスとを含み、スロット内の前記ランダムアクセスプリアンブルによって占有される開始ＯＦＤＭシンボルのインデックスは、前記ランダムアクセスプリアンブルによって占有されるスロットに対応し、前記ランダムアクセスプリアンブルによって占有されるスロット内のランダムアクセスプリアンブルシーケンスの総数は、スロットインデックスに対応し、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡはランダムアクセスプリアンブルの送信に使用される。
【０１５７】
任意選択で、前記ＲＡ−ＲＮＴの計算式は次のとおりである：
ＲＡ−ＲＮＴＩ = １ + ｓｅｑｕｅｎｃｅ＿ｉｄ＿ｐｅｒ＿ｓｌｏｔ + ｓｌｏｔ＿ｉｄ * Ｎ＿ｓｅｑｕｅｎｃｅ＿ｐｅｒ＿ｓｌｏｔ ＋ １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｅｑｕｅｎｃｅ＿ｉｄ＿ｐｅｒ＿ｓｌｏｔは、ランダムアクセスプリアンブルによって占有されるスロット内の、ランダムアクセスプリアンブルのシーケンスのインデックスであり、ここで、スロットとランダムアクセスプリアンブルのインデックスとの間の対応関係は、事前に設定されるか、事前に合意された関係であり、
Ｎ＿ｓｅｑｕｅｎｃｅ＿ｐｅｒ＿ｓｌｏｔは、ランダムアクセスプリアンブルによって占有されるスロット内のランダムアクセスプリアンブルシーケンスの総数であり、ここで、Ｎ＿ｓｅｑｕｅｎｃｅ＿ｐｅｒ＿ｓｌｏｔは、スロットに対応し、１スロット内のランダムアクセスプリアンブルシーケンスの総数は、事前に設定されるか、事前に合意され、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスである。
【０１５８】
同じ技術的思想に基づいて、本発明の実施形態は、上述の実施形態において基地局側によって実行されるプロセスをコンピュータに実行させるように構成されたコンピュータ実行可能命令を記憶することを特徴とするコンピュータ記憶媒体を、提供する。
【０１５９】
同じ技術的思想に基づいて、本発明の実施形態は、上述の実施形態において端末局側によって実行されるプロセスをコンピュータに実行させるように構成されたコンピュータ実行可能命令を記憶することを特徴とするコンピュータ記憶媒体を提供する。
【０１６０】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１６１】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１６２】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１６３】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１６４】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１６５】
301  受信モジュール
302  決定モジュール
303  送信モジュール
401  送信モジュール
402  決定モジュール
403  受信モジュール
501  プロセッサ
502  メモリ
503  送受信機
601  プロセッサ
602  メモリ
603  送受信機
【図１】
2020533903.tif 000007
【図２】
2020533903.tif 000008
【図３】
2020533903.tif 000009
【図４】
2020533903.tif 000010
【図５】
2020533903.tif 000011
【図６】
2020533903.tif 000012
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
基地局は、端末によって送信されたランダムアクセスプリアンブルを受信するステップと、
前記基地局は、前記ランダムアクセスプリアンブルによって占有される時間周波数リソースに基づき、ランダムアクセス-無線ネットワーク一時識別子（ＲＡ−ＲＮＴＩ）を決定するステップと、
前記基地局は、ランダムアクセス応答メッセージを送信し、前記ランダムアクセス応答メッセージは、前記端末は、前記基地局によって割り当てられたダウンリンク制御情報を含み、前記ダウンリンク制御情報は、前記ＲＡ−ＲＮＴＩを使用してスクランブルされるステップとを備え、
前記時間周波数リソースは、直交周波数分割多重（ＯＦＤＭ）シンボルレベルの時間周波数リソースであることを特徴とするＲＡ−ＲＮＴＩを決定するための方法。
【請求項２】
前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、スロット内の前記ランダムアクセスプリアンブルによって占有される開始ＯＦＤＭシンボルのインデックス、および無線フレーム内のランダムアクセスプリアンブルによって占有されるスロットのインデックスを含み、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡＣＨはランダムアクセスプリアンブルの送信に使用されることを特徴とする請求項１に記載のＲＡ−ＲＮＴＩを決定するための方法。
【請求項３】
前記ＲＡ−ＲＮＴＩの計算式は次のとおりである：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスであり、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスであることを特徴とする請求項１または請求項２に記載のＲＡ−ＲＮＴＩを決定するための方法。
【請求項４】
端末は、基地局にランダムアクセスプリアンブルシーケンスを送信するステップと、
前記端末は、前記ランダムアクセスプリアンブルシーケンスによって占有された時間周波数リソースに基づき、ランダムアクセス-無線ネットワーク一時識別子（ＲＡ−ＲＮＴＩ）を決定するステップと、
前記端末は、前記基地局によって送信されたランダムアクセス応答メッセージを受信し、前記ＲＡ−ＲＮＴＩを使用して、前記ランダムアクセス応答メッセージに含まれるダウンリンク制御情報をデスクランブルするステップとを備え、
前記時間周波数リソースは、直交周波数分割多重（ＯＦＤＭ）シンボルレベルの時間周波数リソースであることを特徴とするＲＡ−ＲＮＴＩを決定するための方法。
【請求項５】
前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、スロット内の前記ランダムアクセスプリアンブルによって占有される開始ＯＦＤＭシンボルのインデックス、および無線フレーム内のランダムアクセスプリアンブルによって占有されるスロットのインデックスを含み、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡＣＨはランダムアクセスプリアンブルの送信に使用されることを特徴とする請求項４に記載のＲＡ−ＲＮＴＩを決定するための方法。
【請求項６】
前記ＲＡ−ＲＮＴＩの計算式は次のとおりである：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスであり、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスであることを特徴とする請求項４または請求項５に記載のＲＡ−ＲＮＴＩを決定するための方法。
【請求項７】
端末によって送信されたランダムアクセスプリアンブルを受信するように構成された受信モジュールと、
前記ランダムアクセスプリアンブルによって占有される時間周波数リソースに基づき、ランダムアクセス-無線ネットワーク一時識別子（ＲＡ−ＲＮＴＩ）を決定するように構成された決定モジュールと、
ランダムアクセス応答メッセージを送信するように構成された送信モジュールとを備え、
前記時間周波数リソースは、直交周波数分割多重（ＯＦＤＭ）シンボルレベルの時間周波数リソースであり、
前記ランダムアクセス応答メッセージは、前記端末は、基地局によって割り当てられたダウンリンク制御情報を含み、前記ダウンリンク制御情報は、前記ＲＡ−ＲＮＴＩを使用してスクランブルされることを特徴とする基地局。
【請求項８】
前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、スロット内の前記ランダムアクセスプリアンブルによって占有される開始ＯＦＤＭシンボルのインデックス、および無線フレーム内のランダムアクセスプリアンブルによって占有されるスロットのインデックスを含み、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡＣＨはランダムアクセスプリアンブルの送信に使用されることを特徴とする請求項７に記載の基地局。
【請求項９】
前記ＲＡ−ＲＮＴＩの計算式は次のとおりである：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスであり、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスであることを特徴とする請求項７または請求項８に記載の基地局。
【請求項１０】
基地局にランダムアクセスプリアンブルシーケンスを送信するように構成された送信モジュールと、
前記ランダムアクセスプリアンブルシーケンスによって占有された時間周波数リソースに基づき、ランダムアクセス-無線ネットワーク一時識別子（ＲＡ−ＲＮＴＩ）を決定するように構成された決定モジュールと、
前記基地局によって送信されたランダムアクセス応答メッセージを受信し、前記ＲＡ−ＲＮＴＩを使用して、前記ランダムアクセス応答メッセージに含まれるダウンリンク制御情報をデスクランブルするように構成された受信モジュールとを備え、
前記時間周波数リソースは、ＯＦＤＭシンボルレベルの時間周波数リソースであることを特徴とする端末。
【請求項１１】
前記ＲＡ−ＲＮＴＩは、前記プリアンブルによって占有される時間周波数リソースの時間領域リソースに関連するパラメータおよび周波数領域リソースに関連するパラメータに基づいて決定され、
前記時間領域リソースに関連するパラメータは、スロット内の前記ランダムアクセスプリアンブルによって占有される開始ＯＦＤＭシンボルのインデックス、および無線フレーム内のランダムアクセスプリアンブルによって占有されるスロットのインデックスを含み、
前記周波数領域リソースに関連するパラメータは、係数に基づいて修正された物理ランダムアクセスチャネルＰＲＡＣＨによって占有される周波数領域帯域幅のインデックスを含み、前記係数は、１つのサブフレーム内のスロットの数および１つのスロット内のＯＦＤＭシンボルの数に基づいて決定され、前記ＰＲＡＣＨはランダムアクセスプリアンブルの送信に使用されることを特徴とする請求項１０に記載の端末。
【請求項１２】
前記ＲＡ−ＲＮＴＩの計算式は次のとおりである：
ＲＡ−ＲＮＴＩ = １ + ｓｔａｒｔ＿ｓｙｍｂｏｌ＿ｉｎｄｅｘ＿ｉｎ＿ｓｌｏｔ + ｓｌｏｔ＿ｉｄ * Ｎ＿ｓｙｍｂｏｌ＿ｐｅｒ＿ｓｌｏｔ + １０ * Ｎ＿ｓｌｏｔ＿ｐｅｒ＿ｓｕｂｆｒａｍｅ * Ｎ＿ｓｙｍｂｏｌ＿ｐｅｒ＿ｓｌｏｔ * ｆ＿ｉｄ
ここで、
ｓｔａｒｔ＿ｓｙｍｂｏｌ＿ｉｎｄｅｘ＿ｉｎ＿ｓｌｏｔは、スロット内のランダムアクセスプリアンブルによって占有される開始ＯＦＤＭシンボルのインデックスであり、
ｓｌｏｔ＿ｉｄは、無線フレーム内のランダムアクセスプリアンブルによって占有されるスロットのインデックスであり、
Ｎ＿ｓｙｍｂｏｌ＿ｐｅｒ＿ｓｌｏｔは、１つのスロット内のＯＦＤＭシンボルの数を表し、
Ｎ＿ｓｌｏｔ＿ｐｅｒ＿ｓｕｂｆｒａｍｅは、１つのサブフレーム内のスロットの数を表し、
ｆ＿ｉｄは、ＰＲＡＣＨによって占有される周波数領域帯域幅のインデックスであることを特徴とする請求項１０または請求項１１に記載の端末。
【請求項１３】
請求項１から請求項３のいずれか一項に記載の方法をコンピュータに実行させるように構成されたコンピュータ実行可能命令を記憶することを特徴とするコンピュータ記憶媒体。
【請求項１４】
請求項４から請求項６のいずれか一項に記載の方法をコンピュータに実行させるように構成されたコンピュータ実行可能命令を記憶することを特徴とするコンピュータ記憶媒体。
【国際調査報告】
2020533903.tif 000013
2020533903.tif 000014
2020533903.tif 000015
2020533903.tif 000016